(57)【要約】      （修正有）【課題】飲用した空き缶をつぶして分別を機械化して容易にしようとする回転式空き缶つぶし機を提供する。【解決手段】空き缶つぶし機本体１の上部の空き缶８の入れ込み口１１から、空き缶８を入れ空き缶８の送り回転体２２を回転して、凹状回転体９の上部の溝に入り内回転して、反対側の凸状回転体１０も同一の内回転をしながら、水平点で凹状回転体９の溝に反対側の凸状回転体１０の凸部が空き缶８をつぶしながら、空き缶８をつぶす間隔まで入り連続した空き缶８をつぶして、空き缶８のスチール缶（鉄製）１３とアルミ缶１４を分別するために、凹状回転体９の内部の中空部の回転軸３には、振り子式の磁石１７を設けた。【選択図】    図１
2004148402.tif 000002
【特許請求の範囲】
【請求項１】
（イ）空き缶つぶし機本体には、安全カバーを設け、一対のドラム形状及び円柱状の中空軸の両端を塞いだ回転体を設け、曲面を向かい合わせて挟み込むように互いに内回転させるために、それぞれの回転体の中空軸の両端を塞いだ中心に回転軸を設け、回転軸には回転させるための歯車と一体にして設ける。
（ロ）また、回転体を回転させるための歯車を回転させるために、電動ギャモーターに歯車を一体にして設けて、空き缶つぶし機本体と一体にして設ける。
（ハ）電動ギャモーターの歯車で、回転体の歯車を連続の回転をさせるためのチェーンを設ける。
（ニ）ドラム形状及び円柱状の曲面が向かい合って回転する表面の一方には、空き缶の入る凹状の溝を設けた凹状回転体と、もう一方には、凹状の溝に入り込む様に合わせた凸状の突起を設けた凸状回転体を設け、凹状の溝の突起で凸状回転体を回転させる様に設ける。
（ホ）空き缶つぶし機本体の上部に空き缶の入れ込み口を設け、空き缶が入れて下部に着くまでに空き缶の送り回転体と平行になって円滑に入る様に、底板及び下部に、斜め及び斜角のガイド板をそれぞれ設ける。
（ヘ）空き缶の入れ込み口の下部に中空軸の両端を塞いだ中心に回転軸を設け、回転する表面には左右を斜度の凸状の突起と送り受け金具を一体にして設けて、空き缶がダブって入らない様に凸状の突起は空き缶の入る間隔に空き缶の送り回転体に設けて、空き缶の送り回転体の送り受け金具を、下部の凹状回転体の凹状の溝の突起で回転させて一個ずつ落とし受け入れて、それを繰り返す空き缶の入れ込み口は、入れられた空き缶が凹状回転体の溝に円滑に入る様にするために中心線に平行に設ける。
（ト）空き缶つぶし機本体の凹状回転体は固定式にして、凸状回転体は空き缶の形状及び容量により、凹状回転体に深く入り込んだり、浅く入り込んだり調整するために可動式にした調整金具を設ける。
以上の様に構成して、一台の電動ギャモーターで凹状回転体を回転させて、送り回転体と凸状回転体を同時に回転させる様に設けて、空き缶つぶし機本体の上部の空き缶の入れ込み口から、空き缶を入れ送り回転体を回転して、凹状回転体の上部の溝に入り内回転して、反対側の凸状回転体も同一の内回転をさせながら、水平点で凹状回転体の溝に反対側の凸状回転体の凸部が空き缶をつぶしながら、空き缶をつぶす間隔まで入り連続した空き缶をつぶす回転式空き缶つぶし機。
【請求項２】
スチール缶（鉄製）とアルミ缶を分別するために、凹状回転体側の下部にはスチール缶（鉄製）の器と、凸状回転体側の下部にはアルミ缶の器をそれぞれ設けて、凹状回転体の内部の中空部の回転軸には、振り子式の磁石を設け、常にスチール缶（鉄製）がつぶされた位置から引き付けられて、下部にあるスチール缶（鉄製）の器の上部までの間隔に位置を保持するために振り子式にして設け、凸状回転体と凹状回転体の互いの内回転により押しつぶされたスチール缶（鉄製）は、振り子式の磁石に引き付けられて凹状回転体と一緒に回転して振り子式の磁石の間隔を移動して、振り子式の磁石の間隔を越えたところで落下して、下部にあるスチール缶（鉄製）の器の中に入り、アルミ缶は磁石に引き付けられることがなくそのまま凸状回転体側の下部にあるアルミ缶の器の中に落下して入るようにして分別できる様にしてそれぞれに取り出し口を設け、手動式運転スイッチと、センサー及び自動運転制御装置を設け、一個単位及び連続の空き缶のつぶしを自動的に感知して自動運転する様に設けた請求項１の回転式空き缶つぶし機。
【発明の詳細な説明】
【０００１】
【発明の属する技術分野】
本発明の空き缶をつぶし機は、空き缶を処理するに当たり、空き缶をつぶすことにより容積の縮小ができて回収コストを軽減し、分別することによりリサイクル及び後処理を容易にするために、自動販売機との併用や店先等での使用を容易にするためのものである。
【０００２】
【従来の技術】
従来の空き缶をつぶす方法では、
（イ）手でつぶしたり、足で踏んづけてつぶしていた。
（ロ）ハンマーや小槌でつぶしていた。
（ハ）何点か空き缶つぶし機があるが、いまだ反映していないため、処理業者及び販売業者が苦慮されている現状です。
以上の様に、自分で飲用した空き缶でも、手でつぶしたり、足で踏んづけてつぶしたりすることは面倒であり、つぶす人は極少数の人に限られておりつぶしても分別して捨てる器がない。現に、自動販売機のそばや店先等に設置されている器の大部分は、空き缶のみであり、スチール缶（鉄製）及びアルミ缶の分別する器がなく、空き缶を捨てる段階で分別さえできていないで散乱している現状です。
【０００３】
【発明が解決しようとする課題】
本発明は、上記の欠点を解消して、スチール缶（鉄製）とアルミ缶をつぶして分別するために、凹状回転体側の下部にはスチール缶（鉄製）の器と、凸状回転体側の下部にはアルミ缶の器をそれぞれ設けて、凹状回転体の内部の中空部の回転軸には、振り子式の磁石を設け、常にスチール缶（鉄製）がつぶされた位置から引き付けられて、下部にあるスチール缶（鉄製）の器の上部までの間隔に位置を保持するために振り子式にして設け、凸状回転体と凹状回転体の互いの内回転により押しつぶされたスチール缶（鉄製）は、振り子式の磁石に引き付けられて凹状回転体と一緒に回転して振り子式の磁石の間隔を移動して、振り子式の磁石の間隔を越えたところで落下して、下部にあるスチール缶（鉄製）の器の中に入り、アルミ缶は磁石に引き寄せられることがなくそのまま凸状回転体側の下部にはアルミ缶の器の中に落下して入るようにして分別することを可能にして、販売業者及び処理業者、処理業者を管理する機関に受け入れられて、苦慮されている後処理を軽減して、環境の美化に貢献しようとするものである。
【０００４】
【課題を解決するための手段】
上記目的を達成するための手段を図面に追いながら説明すれば、
（イ）空き缶つぶし機本体１には、安全カバー２を設け、一対のドラム形状及び円柱状の中空軸の両端を塞いだ回転体を設け、曲面を向かい合わせて挟み込むように互いに内回転させるために、それぞれの回転体の中空軸の両端を塞いだ中心に回転軸３を設け、回転軸３には回転させるための歯車４と一体にして設ける。
（ロ）また、回転体を回転させるための歯車４を回転させるために、電動ギャモーター５に歯車６を一体にして設けて、空き缶つぶし機本体１と一体にして設ける。
（ハ）電動ギャモーター５の歯車６で、回転体の歯車４を連続の回転をさせるためのチェーン７を設ける。
（ニ）ドラム形状及び円柱状の曲面が向かい合って回転する表面の一方には、空き缶８の入る間隔の凹状の溝を設けた凹状回転体９と、もう一方には、凹状の溝の間隔に入り込む様に合わせて、凸状の突起を設けた凸状回転体１０を設け、凹状の溝の突起２６で凸状回転体１０を回転させる様に設ける。
（ホ）空き缶つぶし機本体１の上部に空き缶８の入れ込み口１１を設け、空き缶が８入れて下部に着くまでに空き缶８の送り回転体２２と平行になって円滑に入る様に、底板及び下部に、斜め及び斜角のガイド板２３をそれぞれ設ける。
（ヘ）空き缶８の入れ込み口１１の下部に中空軸の両端を塞いだ中心に回転軸２１を設け、回転する表面には左右を斜度の凸状の突起２４と送り受け金具２５を一体にして設けて、空き缶８がダブって入らない様に凸状の突起２４は空き缶８の入る間隔に空き缶８の送り回転体２２に設けて、空き缶８の送り回転体２２の送り受け金具２５を、下部の凹状回転体９の凹状の溝の突起２６で回転させて一個ずつ落とし受け入れて、それを繰り返す空き缶８の入れ込み口１１は、入れられた空き缶８が凹状回転体９の溝に円滑に入る様にするために中心線に平行に設ける。
（ト）空き缶つぶし機本体１の凹状回転体９は固定式にして、凸状回転体１０は空き缶８の形状及び容量により、凹状回転体９に深く入り込んだり、浅く入り込んだり調整するために可動式にして調整金具１２を設ける。
以上の様に構成して、空き缶つぶし機本体１の上部の空き缶８の入れ込み口１１から、空き缶８を入れ送り回転体２２回転して、凹状回転体９の上部の溝に入り内回転して、反対側の凸状回転体１０も同一の内回転をさせながら、水平点で凹状回転体９の溝に反対側の凸状回転体１０の凸部が空き缶８をつぶしながら、空き缶８をつぶす間隔まで入り連続した空き缶８をつぶす回転式空き缶つぶし機。
この際、空き缶８のスチール缶（鉄製）１３とアルミ缶１４を分別するために、凹状回転体９側の下部にはスチール缶（鉄製）１３の器１５と、凸状回転体１０側の下部にはアルミ缶１４の器１６をそれぞれ設けて、凹状回転体９の内部の中空部の回転軸には、振り子式の磁石１７を設け、常にスチール缶（鉄製）１３がつぶされた位置から引き付けられて、下部にあるスチール缶（鉄製）１３の器１５の上部までの間隔に位置を様に保持するために振り子式にして設ける。従って、凸状回転体１０と凹状回転体９の互いの内回転により押しつぶされたスチール缶（鉄製）１３は、振り子式の磁石１７に引き付けられて凹状回転体９と一緒に回転して振り子式の磁石１７の間隔を移動して、振り子式の磁石１７の間隔を越えたところで落下して、下部にあるスチール缶（鉄製）１３の器１５の中に入り、アルミ缶１４は振り子式の磁石１７に引き付けられることがなくそのまま凸状回転体１０側の下部にあるアルミ缶１４の器１６の中に落下して入るようにして分別できる様にしてそれぞれに取り出し口１８を設け、手動式運転スイッチ１９と、センサー及び自動運転制御装置２０を設け、一個単位及び連続の空き缶８のつぶしを自動的に感知して自動運転する様にする。
【０００５】
【発明の実施の形態】
本発明は、以上の様な構成ですから、これを使用するときは、
この回転式空き缶つぶし機１を使用するには、空き缶つぶし機本体１の凸状回転体１０調整金具１２で調整して、上部の空き缶８の入れ込み口１１から、空き缶８を入れ空き缶８の送り回転体２２を回転して、凹状回転体９の上部の溝に入り内回転して、反対側の凸状回転体１０も同一の内回転をさせながら、水平点で凹状回転体９の溝に反対側の凸状回転体１０の凸部が空き缶８をつぶしながら、空き缶８をつぶす間隔まで入り連続した空き缶８をつぶすことを提供する。
この際、空き缶８のスチール缶（鉄製）１３とアルミ缶１４を分別するために、凹状回転体９側の下部にはスチール缶（鉄製）１３の器１５と、凸状回転体１０側の下部にはアルミ缶１４の器１６をそれぞれ設けて、凹状回転体９の内部の中空部の回転軸３には、振り子式の磁石１７を設け、常にスチール缶（鉄製）１３がつぶされた位置から引き付けられて、下部にあるスチール缶（鉄製）１３の器１５の上部までの間隔に位置を保持する様に振り子式にして設けてあるため、凸状回転体１０と凹状回転体９の互いの内回転により押しつぶされたスチール缶（鉄製）１３は、振り子式の磁石１７に引き付けられて凹状回転体９と一緒に回転して振り子式の磁石１７の間隔を移動して、振り子式の磁石１７の間隔を越えたところで落下して、下部にあるスチール缶（鉄製）１３の器１５の中に入り、アルミ缶１４は磁石１７に引き付けられることがなくそのまま凸状回転体１０側の下部にあるアルミ缶１４の器１６の中に落下して入る様に設けて分別して、それぞれに取り出し口１８を設け、手動式運転スイッチ１９で使用及び、センサー及び自動運転制御装置２０で、一個単位及び連続の空き缶８のつぶしを自動的に感知させて運転使用する様に設ける。
【０００６】
尚、本発明の実施に当たって次の様なことができる。
（イ）空き缶をつぶすことにより運搬時の容積が減り、また置き場のスペースを少なくすることができる。
（ロ）空き缶を分別することにより、リサイクル等の後処理を円滑にすることができる。
（ハ）自動販売機のそば、店先等の電源のある所であれば、どこでも使用することができる。
【０００７】
【本発明の効果】
本発明によって、運搬時の容積が減り、また置き場のスペースを少なくすることができることにより経費の節減と、空き缶を分別することにより、リサイクル等の後処理を円滑にすることができることにより販売業者及び処理業者、処理業者を管理する機関の人件費の節減と、環境の美化に大いに貢献できるものである。
【図面の簡単な説明】
【図１】本発明の側面図
【図２】本発明の平面図
【図３】本発明の入れ込み口と送り回転体部の側面図
【図４】本発明の入れ込み口の平面図
【図５】本発明の入れ込み口と送り回転体部の側面図
【符号の説明】
１は空き缶つぶし機
２は安全カバー
３は回転軸
４は回転体の歯車
５は電動ギャモーター
６は電動ギャモーターの歯車
７はチェーン
８は空き缶
９は凹状の回転体
１０は凸状の回転体
１１は空き缶の入れ込み口
１２は調整金具
１３はスチール缶（鉄製）
１４はアルミ缶
１５はスチール缶（鉄製）の器
１６はアルミ缶の器
１７は振り子式の磁石
１８は取り出し口
１９は手動式運転スイッチ
２０はセンサー及び自動運転制御装置
２１は送り回転体の回転軸
２２は空き缶の送り回転体
２３はガイド版
２４は斜度の凸状の突起
２５は送り受け金具
２６は凹状の溝の突起
【図１】
2004148402.tif 000003
【図２】
2004148402.tif 000004
【図３】
2004148402.tif 000005
【図４】
2004148402.tif 000006
【図５】
2004148402.tif 000007